(57)【要約】【課題】母親が立って家事をしている場合、あるいは、床等に座ってくつろいでいる場合、いずれの場合でも常に傍に置いてベッドに寝かせた子供の様子を容易に確認することが可能で、しかも、ベッドとして使用しなくなった後にもおもちゃ箱等の収納箱として使用することを可能とする。【解決手段】簡易ベビーベッド１は、移動可能な台枠２と、前記台枠２に着脱自在に載置される筐体３からなり、前記台枠２の上下２箇所に受体２２，２３を配設し、前記上下の受体２２，２３のいずれか一方に筐体３を着脱自在に載置するようにした。また、前記筐体３の底部下面には、その幅方向における端部に、下面を円弧状とした支持部材３３を固着するようにした。【選択図】図１
0003199840.tif 000002
【実用新案登録請求の範囲】
【請求項１】
移動可能な台枠と、前記台枠に着脱自在に載置される筐体からなる簡易ベビーベッドであって、前記台枠には上下２箇所に筐体を載置するための受体を配設し、前記上下の受体のいずれか一方に筐体を着脱自在に載置するようにしたことを特徴とする簡易ベビーベッド。
【請求項２】
前記筐体の底部下面には、幅方向における両端側に下面を円弧状とした支承部材を固着したことを特徴とする請求項１記載の簡易ベビーベッド。
【請求項３】
前記筐体の側壁は、メッシュ構造としたことを特徴とする請求項１または２に記載の簡易ベビーベッド。
【請求項４】
前記台枠の下部に配設した受体に、布製の棚部材を装着することにより、載置棚を形成するようにしたことを特徴とする請求項１記載の簡易ベビーベッド。
【考案の詳細な説明】
【技術分野】
【０００１】
本考案は、母親が家事を行う際等に、傍に置いて子供（乳児）の様子を見るのに適した移動可能な簡易ベビーベッドに関する。
【背景技術】
【０００２】
家事と育児を両立させている母親から、家事の手が離せない時に、子供（乳児）を傍に置いて様子を見ながら家事を行いたいという要望がある。
しかし、一般にベビーベッドは寝室に置いてあることが多く、また形状も大きく重いため、寝室からそれ以外の部屋へ移動させることは困難である。例えば、ベビーベッドを寝室とリビング等の複数箇所に設置することも考えられるが、設置スペースの増大や金銭的負担等から見送られるケースが多い。結果、子供をリビングのソファや床等に寝かせているケースも見受けられる。
【０００３】
このため、例えば特許文献１に記載されているような簡易ベビーベッドが提案されている。特許文献１に記載されている簡易ベビーベッドは、軽量プラスチック製のケースにタイヤを取付け、その中に敷布団を設けて構成されている。前記ベビーベッドはケースにタイヤが取付けられているため移動が可能であり、前記ケース内に子供を寝かした状態で、家事をしている親の傍に連れて来ることができる。
一方で、前記ベビーベッドは床に置かれているため、子供をあやしたり抱き上げたりしようとする場合、親が床に膝をついたりしゃがんだりしなければならなかった。また、掃除機を掛ける場合においては、掃除機の発する音等によって子供が目を覚ましたり、掃除機からの排気が当たったりする虞れがあった。
【０００４】
一方、特許文献２，３に記載されているようなベビーベッドも提案されている。
特許文献２に記載されているベビーベッドは、二組の逆Ｕ字形脚支柱を側面Ｘ字形に枢着し、この側面Ｘ字形脚支柱にその交差角度を固定するストッパ機構を設けるとともに、前記脚支柱の上端Ｕ字曲げ部に乳幼児用ベッド本体を着脱自在に取り付けるように構成されている。
また、特許文献３に記載されているベビーベッドは、正面視ほぼＵ字状に形成された２個の支持柱を対応させて配設し、該支持柱間の上部に固着具によりベッド部を脱着自在に取付けるとともに、支持柱間の下部に固着具などによりベビー用品載置棚を脱着自在に取付け、ベビーベッドとしての使用済後は、ベッド部とベビー用品載置棚とにより収納箱を形成し得るように構成されている。
【先行技術文献】
【特許文献】
【０００５】
【特許文献１】特開２００１−１２０３９５号公報
【特許文献２】実公昭５６−２１０２５号公報
【特許文献３】実開昭５６−９４５５８号公報
【考案の概要】
【考案が解決しようとする課題】
【０００６】
然るに、前記特許文献２，３に記載のベビーベッドにおいては、ベッド本体（ベッド部）が脚支柱（支持柱）の上方に取り付けられているため、特許文献１のような問題点は発生し難い反面、家事をしていない場合、例えば、母親が床等に座ってくつろいでいるような場合に子供の様子を確認するには、母親が立ち上がらなければならないという問題があった。
なお、特許文献２，３に記載のベビーベッドにおいては、ベッド本体（ベッド部）を脚支柱（支持柱）から取外すことも可能であるが、特許文献２におけるベッド本体は、折り畳んだり洗濯したりすることができるように比較的軟らかい材質からなるので、床に置いて使用しようとしても自立させることが難しく、また、特許文献３におけるベッド部は、支持柱にボルト及び袋ナットを用いて固定されているので、着脱が面倒であった。更に、特許文献２，３におけるベッド本体（ベッド部）には、特許文献１のようなタイヤ等が設けられていないため、脚支柱（支持柱）から取外して床に置いても、前後に揺り動かす等して揺りかごのように使うことができない。
その上、特許文献２におけるベッド本体は、脚支柱の上部に取付けられているため、例えば、ベッドとして使用しなくなった後に、子供のおもちゃ箱等として使用する場合には、子供が自分でおもちゃ等を取ろうとしても手が届かない等という問題があった。また、特許文献３におけるベッド部は、ベッドとして使用しなくなった後に、支持柱から取外して収納箱として使用することができるが、前記のようにベッド部にはタイヤ等が設けられていないため、移動させるには手で持って運ぶしかなく、面倒であった。
【０００７】
本考案は前記種々の問題点に鑑み、母親が立って家事をしている場合、あるいは、床等に座ってくつろいでいる場合、いずれの場合でも常に傍に置いてベッドに寝かせた子供の様子を容易に確認することが可能で、しかも、ベッドとして使用しなくなった後にもおもちゃ箱等の収納箱として使用することが可能な簡易ベビーベッドの提供を目的とする。
【課題を解決するための手段】
【０００８】
前記の課題を解決するために、本考案は以下のように構成されている。即ち、移動可能な台枠と、前記台枠に着脱自在に載置される筐体とを備えた簡易ベビーベッドであって、前記台枠には上下２箇所に筐体を載置するための受体を配設し、前記上下の受体のいずれか一方に筐体を着脱自在に載置するように構成した。
また、筐体の底部には、幅方向における両端側に下面を円弧状とした支承部材を固着するように構成した。
更に、筐体の側壁はメッシュ構造とした。
また、台枠の下部に配設した受体に、布製の棚部材を装着することにより、載置棚を形成するようにした。
【考案の効果】
【０００９】
本考案に係る簡易ベビーベッドによれば、移動可能な台枠の上下２箇所に筐体を載置するための受体を配設したので、用途に応じて筐体を載置する位置を変更することができる。即ち、母親が立った状態で家事を行う場合には、筐体を台枠上部の受体に載置し、子供を前記筐体内に寝かせた状態で、母親の傍に連れて来ることにより、家事をしながらでも容易に子供の様子を確認したり、しゃがむことなく子供をあやしたり抱き上げたりすることができる。
また、子供が大きくなり、筐体に子供を寝かせることがなくなった後（即ち、ベッドとして使用しなくなった後）、前記筐体を例えばおもちゃ箱等の収納箱として使用する場合には、筐体を台枠下部の受体に載置することにより、台枠上部の受体に載置した場合に比べて筐体の高さ位置が低くなるので、子供が自分で筐体からおもちゃ等を取出したり、筐体におもちゃ等を片付けたりすることが可能となる。しかも、台枠は移動可能であるため、筐体の移動も容易である。
更に、母親が床等に座ってくつろいでいる場合には、筐体を架台から取外して床に置くことにより、立ち上がることなく子供の様子を確認したり、あやしたり抱き上げたりすることができる。しかも、筐体の底部には下面を円弧状とした支承部材が固着されているので、床に置いた際には揺りかごとしても使用することが可能となり、便利である。
また、下部の受体に布製の棚部材を装着することにより、載置棚として使用することができるので、おむつや着替え等を予め置いておくことにより、寝室まで取りに行く手間が省けるという利点がある。
更に、筐体の側壁をメッシュ構造とすることにより、筐体の風通しがよくなるとともに、上方からだけでなく側方からも筐体内の様子を視認することが可能となる。
【図面の簡単な説明】
【００１０】
【図１】本考案に係る簡易ベビーベッドを分解して示す斜視図である。
【図２】本考案に係る簡易ベビーベッドを構成する筐体を示す斜視図である。
【図３】本考案に係る簡易ベビーベッドにおいて筐体を上部受体に載置した状態を示す斜視図である。
【図４】本考案に係る簡易ベビーベッドにおいて筐体を上部受体に載置した状態を示す断面図である。
【図５】本考案に係る簡易ベビーベッドにおいて筐体を下部受体に載置した状態を示す斜視図である。
【図６】本考案に係る簡易ベビーベッドにおいて筐体を下部受体に載置した状態を示す断面図である。
【考案を実施するための形態】
【００１１】
以下、本考案を実施するための形態について、図１ないし図６を参照しながら具体的に説明する。図１は本考案に係る簡易ベビーベッドを分解して示す斜視図、図２は本考案に係る簡易ベビーベッドを構成する筐体を示す斜視図、図３は本考案に係る簡易ベビーベッドにおいて筐体を上部受体に載置した状態を示す斜視図、図４は本考案に係る簡易ベビーベッドにおいて筐体を上部受体に載置した状態を示す断面図、図５は本考案に係る簡易ベビーベッドにおいて筐体を下部受体に載置した状態を示す斜視図、図６は本考案に係る簡易ベビーベッドにおいて筐体を下部受体に載置した状態を示す断面図である。
【００１２】
図１に本考案に係る簡易ベビーベッドを分解して示す。図１に示すように、本考案に係る簡易ベビーベッド１（以下、単にベッド１という）は、移動可能な台枠２と、前記台枠２に着脱自在に載置される筐体３とを備えて構成されている。なお、ベッド１の大きさは、各部屋への移動や設置スペース等を考慮して、例えば、長手方向及び高さ方向の寸法が１ｍ程度、幅方向の寸法が５０ｃｍ程度となるように設定されている（但し、前記寸法はあくまでも一例であり、この寸法に限定されるものではない）。
【００１３】
図１に示すように、台枠２は、逆Ｕ字状に形成され下端部にキャスター２１ａを有する一対の脚支柱２１，２１と、前記脚支柱２１，２１間の上部に配設される上部受体２２と、前記脚支柱２１，２１間の下部に配設される下部受体２３とを備えて構成されている。なお、前記一対の脚支柱２１，２１間の寸法は、当該一対の脚支柱２１，２１間に配設した上部受体２２または下部受体２３のいずれかに載置される筐体３の長手方向の寸法とほぼ等しい。また、前記キャスター２１ａには図示しないストッパーが設けられ、必要時以外に台枠２が移動するのを防いでおり、更に、ゴム製の車輪を使用することで騒音の発生や床の損傷等を防いでいる。
前記上部受体２２は、長手方向に沿って配設される一対の縦部材２２ａ，２２ａと、前記縦部材２２ａ，２２ａの間に配設される横部材２２ｂとを備えて平面視井桁状に形成されている。また、下部受体２３は、長手方向に沿って配設される一対の縦部材２３ａ，２３ａからなる。そして、上部受体２２及び下部受体２３は、それぞれ脚支柱２１の所定位置に、ボルト等（図示せず）を用いて着脱自在に固定される。
【００１４】
図１，２に示すように、筐体３は、Ｕ字状のフレーム３１と、前記フレーム３１における底部上面の幅方向両端部に立設した側壁３２とを備えて構成されており、前記フレーム３１の底部下面には、幅方向における両端側に下面を円弧状とした一対の支承部材３３，３３が固着されている。なお、前記一対の支承部材３３，３３間の寸法は、筐体３を台枠２の上部に配設した上部枠体２２に載置した際に、当該上部受体２２を構成する一対の縦部材２２ａ，２２ａが前記一対の支承部材３３，３３間に収まり、かつ、筐体３を台枠２の下部に配設した下部受体２３に載置した際に、当該下部受体２３を構成する一対の縦部材２３ａ，２３ａの内側に、前記一対の支承部材３３，３３がほぼ隙間なく収まる寸法となっている。
前記フレーム３１は、例えば底板３１ａと、前記底板３１ａの長手方向両端部に連設されるＬ字状の側板３１ｂ，３１ｂとによってＵ字状に形成され、前記底板３１ａ及び側板３１ｂは、それぞれ支承部材３３の上面にボルト等（図示せず）を用いて固定されている。なお、底板３１ａと側板３１ｂとは一体的に形成してもよい。前記底板３１ａには長手方向に沿って通気用の長穴３１ｃが複数穿孔されており、また、側板３１ｂの上方には、当該側板３１ｂを掴持可能とするための穴部３１ｄが穿孔されている。
前記側壁３２は、枠体３２ａにメッシュ材３２ｂを取付けることにより形成されており、前記枠体３２ａの下面に突設したダボ３２ｃ（図４参照）を、フレーム３１の底板３１ａに穿孔した挿通穴３１ｅ（図４参照）に挿通するとともに、枠体３２ａの側面をフレーム３１の側板３１ｂに対してボルト等（図示せず）を用いて固定することにより、前記フレーム３１の底部上面に起立した状態で取付けられる。
なお、筐体３内に子供を寝かせる際には、当該筐体３内に予めマットレス６等（図４参照）を敷いておく。
【００１５】
つづいて、本考案に係るベッド１の使用例について、図３ないし図６を参照しながら説明する。
前記のように、台枠２には上下２箇所に上部受体２２と下部受体２３が設けられており、筐体３は前記上部受体２２もしくは下部受体２３のいずれか一方に載置することができるとともに、前記筐体３は台枠２から取外した状態でも使用することができる。
【００１６】
図３，４は筐体３を上部受体２２に載置した状態を示す。この場合、筐体３は、その底部下面に固着した一対の支承部材３３，３３間に上部受体２２が収まる状態で、前記上部受体２２に載置されるとともに、前記底部（底板３１ａ）と前記上部受体２２における横部材２２ｂとを、前記横部材２２ｂの下方からノブボルト４（図４参照）を用いて締着することにより、前記上部受体２２に対して固定される。この際、ノブボルト４は手で持って回すだけでよく、ドライバー等の工具を必要としないため、筐体３の上部受体２２に対する固定を容易に行うことができる。
前記のように、筐体３を上部受体２２に載置して使用する場合、下部受体２３には布製の棚部材５１を装着することで子供用品の載置棚５として使用できる。即ち、図４に示すように、棚部材５１の幅方向両端部に形成した輪状の挿通部５１ａに、下部受体２３を構成する縦部材２３ａを挿通し、この状態で、前記縦部材２３ａを脚支柱２１，２１の所定位置にボルト等（図示せず）を用いて固定すればよい。
【００１７】
図３，４に示す形態は、母親が立った状態で家事（炊事・洗濯・掃除等）を行う場合や、子供を入浴させる場合等に適している。即ち、図３，４に示すように、筐体３を上部受体２２に載置した場合、前記筐体３内に子供を寝かせた状態で、ベッド１を母親の傍に置くことにより、家事をしながらでも容易に子供の様子を確認することができるとともに、子供をあやしたり抱き上げたりする際にしゃがむ必要もないため大変便利である。
また、入浴時にベッド１を浴室の傍に置いておくことで、入浴前に子供を寝かせて服を脱がせたり、入浴後に子供を寝かせて体を拭いて服を着せたりすることが容易に行える。
しかも、下部受体２３に棚部材５１を装着して載置棚５としている場合には、おむつや着替え等を予め載置しておくことにより、寝室等へ取りに行く手間が省けるため、便利である。
なお、筐体３の側壁３２はメッシュ構造となっているので通気性がよく、筐体３内に寝かせた子供は快適であるとともに、筐体３内の様子を上方からだけでなく、側方からも視認することができる。
【００１８】
図５，６は筐体３を下部受体２３に載置した状態を示す。この場合、筐体３は、その底部下面に固着した一対の支承部材３３，３３が、下部受体２３を構成する一対の縦部材２３ａ，２３ａ間に、ほぼ隙間なく収まる状態で、前記下部受体２３に載置される。これにより、筐体３は、台枠２に対してボルト等を用いて固定することなく、前後・左右方向への揺動を防いだ状態で載置することができる。
なお、筐体３を下部受体２３に載置する場合、予め上部受体２２を脚支柱２１から取外しておくと、作業等が円滑かつ容易に行える。また、下部受体２３に棚部材５１を装着し、載置棚５としていた場合には、例えば、前記下部受体２３を構成する縦部材２３ａと一方の脚支柱２１との固定を解除し、前記縦部材２３ａから棚部材５１を予め抜き取っておく。
【００１９】
図５，６に示す形態は、子供が大きくなり、筐体３に子供を寝かせることがなくなった後に、前記筐体３を例えばおもちゃ箱等の収納箱として使用する場合に適している。即ち、図５，６に示すように、筐体３を下部受体２３に載置することにより、筐体３の高さ位置は、上部受体２２に載置した場合に比べて低い位置となり、この結果、筐体３を例えばおもちゃ箱として使用する場合には、子供であっても容易に手の届く高さとなり、子供自身が筐体３からおもちゃ等を取出したり、あるいは、筐体３におもちゃ等を片付けたりすることが可能となる。また、重心が低くなるため、筐体３を載置した状態で子供が台枠２を押して遊ぶような場合でも安定感が増して、横転等の発生する虞れが少ない。更に、筐体３と下部受体２３とがボルト等を用いて固定されていないため、前記筐体３の着脱を容易に行うことができる。その上、筐体３が載置される台枠２は、キャスター２１ａによって移動可能となっているので、前記筐体３内におもちゃ等を収納した場合でも容易に移動が行える。
【００２０】
なお筐体３は、図１に示すように、台枠２から取外した状態でも使用することが可能である。筐体３を台枠２から取外す場合、例えば、筐体３が台枠２の上部受体２２に載置されている場合には、ノブボルト４による筐体３の底部（底板３１ａ）と上部受体２２の横部材２２ｂとの固定状態を解除するとともに、前記筐体３を、その側板３１ｂ上方に穿孔した穴部３１ｄを利用して掴んで持ち上げることにより、台枠２から容易に取外すことができる。この際、ノブボルト４は手で持って回すだけでよく、ドライバー等の工具を必要としないため、筐体３と上部受体２２との固定状態を容易に解除することができる。
また、筐体３が台枠２の下部受体２３に載置されている場合、前記筐体３と下部受体２３とは特別に固定されていないため、前記筐体３を、その側板３１ｂ上方に穿孔した穴部３１ｄを利用して掴んで持ち上げることにより、台枠２から容易に取外すことができる。
【００２１】
筐体３を台枠２から取外した形態は、特に母親が床等に座ってくつろいでいる場合の使用に適している。即ち、筐体３を台枠２から取外し、母親の近くの床に置くことにより、母親が立ち上がることなく子供の様子を確認したり、子供をあやしたり抱き上げたりすることができる。また、筐体３の底部（底板３１ａ）には、下面を円弧状とした支承部材３３，３３が固着されているので、前記支承部材３３の円弧面を利用して筐体３を揺動させることにより、揺りかごとして使用することも可能である。
【００２２】
以上のように、本考案に係る簡易ベビーベッド１においては、キャスター２１ａによって移動可能とした台枠２の上下２箇所に上部受体２２及び下部受体２３を設け、前記上部受体２２もしくは下部受体２３のいずれかに筐体３を着脱自在に載置するようにしたので、前記ベッド１は、筐体３を台枠２の上部受体２２に載置した状態、下部受体２３に載置した状態、及び台枠２から取外した状態の３形態で使用することができる。
即ち、母親が家事を行いながら子供の様子を確認したい場合には、筐体３を台枠２の上部受体２２に載置し、前記筐体３に子供を寝かせた状態で、家事を行う母親の傍にベッド１を置くようにすれば、母親は立った状態のままで子供の様子を確認したり、子供をあやしたり抱き上げたりすることができる。
また、子供が大きくなり、筐体３に子供を寝かせることがなくなった後に、前記筐体３を例えばおもちゃ箱等の収納箱として使用する場合には、筐体３を台枠２の下部受体２３に載置することにより、筐体３の高さ位置が、上部受体２２に載置した場合に比べて低くなるので、子供であっても容易に手が届き、子供自身が筐体３からおもちゃ等を取り出したり、筐体３へおもちゃ等を片付けたりすることができる。
更に、母親が床等に座ってくつろいでいる状態で子供の様子を確認したい場合には、筐体３を台枠２から取外し、前記筐体３を母親の傍の床に置くことにより、母親は立ち上がることなく子供の様子を確認したり、子供をあやしたり抱き上げたりすることができる。しかも、筐体３の底部（底板３１ａ）には、下面を円弧状となした支承部材３３が固着されているので、前記支承部材３３の円弧面を利用して筐体３を揺動させることにより、筐体３を揺りかごとしても使用することができる。
このように、本考案に係る簡易ベビーベッド１は、従来のベビーベッドにはない優れた効果を有する。
【符号の説明】
【００２３】
１  簡易ベビーベッド
２  台枠
２１  脚支柱
２２  上部受体
２３  下部受体
３  筐体
３１  フレーム
３２  側壁
３３  支承部材
４  ノブボルト
５  載置棚
５１  棚部材
【図１】
0003199840.tif 000003
【図２】
0003199840.tif 000004
【図３】
0003199840.tif 000005
【図４】
0003199840.tif 000006
【図５】
0003199840.tif 000007
【図６】
0003199840.tif 000008